(57)【特許請求の範囲】
【請求項１】
貯蔵室を有する筐体と、
前記貯蔵室を開閉するための扉と、
前記筐体に対して前記扉を回動可能に取り付けるヒンジ機構と、を備え、
前記ヒンジ機構は、
前記筐体に設けられ、前記扉の回動軸を構成する軸部と、
前記軸部が挿通される軸部挿通孔を有する筒状をなし、前記扉の外周端部に形成された円形状の取付孔に挿入されるヒンジカラーと、を備え、
前記扉において前記取付孔を構成する部分及び前記軸部は、金属製とされ、
前記ヒンジカラーは、
合成樹脂製とされると共に、前記扉に対する前記回動軸を中心とした回動が規制されている構成であり、
前記取付孔に挿入される円筒状をなすと共に前記軸部挿通孔を有するヒンジカラー本体部と、
前記ヒンジカラー本体部の外周面に形成され、前記取付孔の内周面に当接する突起部と、を備え、
前記突起部における外径が前記取付孔径よりも大きいヒンジカラーを、前記取付孔に挿入してなる構成であり、
前記突起部は、前記回動軸方向に沿った方向に延伸した構成である貯蔵庫。
【請求項２】
前記取付孔は、前記扉の外周端面に形成され、
前記ヒンジ機構は、
前記筐体における前記扉側の面に設けられ、前記取付孔と対向配置される対向部を有する取付片を備え、
前記軸部は、前記対向部から前記ヒンジカラーに向かって突出する形状をなし、
前記ヒンジカラーは、
前記ヒンジカラー本体部における前記取付片側の端部に設けられるフランジ部を備え、
前記フランジ部は、前記外周端面に当接する構成である請求項１に記載の貯蔵庫。
【請求項３】
前記突起部は、一対とされ、それぞれが前記回動軸方向に交わる方向に突出した構成である請求項１又は請求項２に記載の貯蔵庫。
【発明の詳細な説明】
【技術分野】
【０００１】
本発明は、貯蔵庫に関する。
【背景技術】
【０００２】
従来、食品や飲料品等を、温蔵、冷蔵もしくは冷凍保管しつつ展示する貯蔵庫が知られている。下記特許文献１には、貯蔵庫として、開閉可能なガラス扉を有するショーケースが記載されている。また、このような貯蔵庫を構成する扉としては、ヒンジ機構を介して、貯蔵室を構成する筐体に対して回動可能に取り付けられているものが知られている。これにより、扉を回動させることで貯蔵室を開閉することが可能となっている。より具体的には、ヒンジ機構は、扉の回動軸を構成する軸部が筐体側に設けられ、その軸部が、扉に形成された取付孔に挿入される構成となっている。そして、このような軸部や取付孔を構成する部分は剛性を高くするために金属製とされることが一般的である。
【先行技術文献】
【特許文献】
【０００３】
【特許文献１】特開２００５−３２３８３０号公報
【発明の概要】
【発明が解決しようとする課題】
【０００４】
上記構成においては、扉を回動させる際に金属製である軸部と取付孔の内周面とが摺動し、これに伴う摩耗や異音の発生が懸念される。
【０００５】
本発明は上記のような事情に基づいて完成されたものであって、扉を開閉する際の部材の摩耗や異音の発生を抑制することが可能な貯蔵庫を提供することを目的とする。
【課題を解決するための手段】
【０００６】
上記課題を解決するために、本発明の貯蔵庫は、貯蔵室を有する筐体と、前記貯蔵室を開閉するための扉と、前記筐体に対して前記扉を回動可能に取り付けるヒンジ機構と、を備え、前記ヒンジ機構は、前記筐体に設けられ、前記扉の回動軸を構成する軸部と、前記軸部が挿通される軸部挿通孔を有する筒状をなし、前記扉の外周端部に形成された取付孔に挿入されるヒンジカラーと、を備え、前記扉において前記取付孔を構成する部分及び前記軸部は、金属製とされ、前記ヒンジカラーは、合成樹脂製とされると共に、前記扉に対する前記回動軸を中心とした回動が規制されている構成であることに特徴を有する。
【０００７】
上記構成によれば、金属製の軸部と取付孔の内周面の間に合成樹脂製のヒンジカラーが介在される構成となっている。このようにすれば、軸部と取付孔の内周面とが直接的に接触する構成と比べて、扉を開閉する際の部材の摩耗や異音の発生を抑制することができる。また、ヒンジカラーは、扉に対する回動が規制されている。このため、扉の開閉時には、軸部に対してヒンジカラーが回動し、ヒンジカラーが扉に対して回動することがない。このため、仮に扉に内蔵された部材がヒンジカラーに近接して配されている場合であっても、ヒンジカラーがその部材に対して擦れることがなく、その部材をより確実に保護することができる。
【０００８】
また、前記取付孔は円形状をなし、前記ヒンジカラーは、前記取付孔に挿入される円筒状をなすと共に前記軸部挿通孔を有するヒンジカラー本体部と、前記ヒンジカラー本体部の外周面に形成され、前記取付孔の内周面に当接する突起部と、を備えているものとすることができる。
【０００９】
上記構成によれば、突起部が取付孔の内周面に当接し、ヒンジカラーが枠体に対して回動する事態を抑制することができる。このような構成とすれば、ヒンジカラー本体部を取付孔に挿入することで、ヒンジカラーの回動を規制することができる。このため、ヒンジカラーの回動を規制するための取付部材を設ける必要がなく、好適である。
【００１０】
また、前記取付孔は、前記扉の外周端面に形成され、前記ヒンジ機構は、前記筐体における前記扉側の面に設けられ、前記取付孔と対向配置される対向部を有する取付片を備え、前記軸部は、前記対向部から前記ヒンジカラーに向かって突出する形状をなし、前記ヒンジカラーは、前記ヒンジカラー本体部における前記取付片側の端部に設けられるフランジ部を備え、前記フランジ部は、前記外周端面に当接する構成であるものとすることができる。
【００１１】
このような構成とすれば、取付片の対向部と扉の外周端面の間に、合成樹脂製であるフランジ部が介在されることとなり、対向部と扉とが直接的に接触する事態を抑制することができる。この結果、扉の外周端面や取付片が傷付く事態を抑制することができる。
【発明の効果】
【００１２】
本発明によれば、扉を開閉する際の部材の摩耗や異音の発生を抑制することが可能な貯蔵庫を提供することができる。
【図面の簡単な説明】
【００１３】
【図１】本発明の一実施形態に係るショーケースを示す正面図
【図２】ショーケースの縦断面図
【図３】ショーケース用扉を示す分解斜視図
【図４】縦枠を示す断面図（図１のＩＶ−ＩＶ線で切断した図に対応）
【図５】ヒンジ機構が設けられる枠体の角部を示す斜視図
【図６】ヒンジ機構を示す断面図（図１のＶＩ−ＶＩ線で切断した図に対応）
【発明を実施するための形態】
【００１４】
本発明の一実施形態１を図１から図６によって説明する。本実施形態では、貯蔵庫として、縦型のショーケース１０を例示する。なお、以下の説明では、図１における手前側を前側、奥側を後側もしくは背面側、左側を左側、右側を右側とする。また、各図面においては、前後方向をＹ軸方向、左右方向をＸ軸方向、上下方向をＺ軸方向として図示してある。図１及び図２に示すように、ショーケース１０は、例えば冷蔵用として用いられ、縦長の断熱箱体から構成される貯蔵庫本体１１（筐体）と、貯蔵庫本体１１の下方に配設される機械室１２とを備える。貯蔵庫本体１１は、図２に示すように、前方に開口する矩形状の開口部１１Ａを有しており、その開口部１１Ａは、貯蔵庫本体１１内部に設けられた貯蔵室１１Ｂと連通されている。
【００１５】
貯蔵室１１Ｂの内部には、食品や飲料品を冷蔵陳列するための複数の棚板１３が上下に離間して並ぶように配設されている。貯蔵庫本体１１には、開口部１１Ａを塞ぐ形で一対のショーケース用扉２０Ａ，２０Ｂが取り付けられている。本実施形態では、一対のショーケース用扉２０Ａ，２０Ｂが、それぞれヒンジ機構（後述）を介して貯蔵庫本体１１に取り付けられており、観音開き形式にスイング開閉するように装着されている。これにより、一対のショーケース用扉２０Ａ，２０Ｂを回動させることで、貯蔵室１１Ｂを開閉することができる。
【００１６】
機械室１２には、圧縮機、凝縮器、凝縮器ファン等を備える冷凍装置（図示せず）が収容されている。また、機械室１２を構成する前面パネル１４には、外気を機械室１２内に取り込むための吸気口１４Ａが設けられている。また、機械室１２を構成する背面パネル（図示せず）には上記冷凍装置を冷却した後の排熱を排出するための排気口が設けられている。
【００１７】
また、図２に示すように、貯蔵庫本体１１の天井壁部１１Ｄの下面には、ドレンパンを兼ねたエアダクト１５が設けられている。これにより、エアダクト１５と天井壁部１１Ｄによって囲まれた空間が冷却器室１１Ｅとして構成されている。この冷却器室１１Ｅには、冷却器１６が収容されている。また、冷却器室１１Ｅにおける前側には吸込口１１Ｆが設けられ、後側には吹出口１１Ｇが設けられている。これにより、吸込口１１Ｆ及び吹出口１１Ｇを介して冷却器室１１Ｅと貯蔵室１１Ｂとが連通されている。また、吸込口１１Ｆには、冷気循環ファン１７が配されている。冷却器１６は、機械室１２内の冷凍装置と冷媒配管によって循環接続されており、周知の冷凍回路を構成するものとされる。
【００１８】
ショーケース１０の冷却運転は、上記冷凍装置および冷気循環ファン１７が駆動されることで行われる。冷気循環ファン１７が駆動され、貯蔵室１１Ｂ内の空気が、吸込口１１Ｆから吸い込まれて冷却器室１１Ｅ内に導かれると、その空気が冷却器１６を流通する間に熱交換され、冷気が生成される。生成された冷気が吹出口１１Ｇ等から貯蔵室１１Ｂ内に吹出されることで、貯蔵室１１Ｂ内が冷却される。
【００１９】
また、冷却器１６による冷気の生成と同時に機械室１２の凝縮器ファンも駆動される。凝縮器ファンの駆動によって、前面パネル１４に設けられた吸気口１４Ａから外気が吸い込まれて機械室１２内に導かれると、その外気は、凝縮器や圧縮機の間を流れることでこれらを冷却する。なお、凝縮器や圧縮機を冷却した結果、温められた空気は、図示しない背面パネルに設けられた排気口から排気され、排熱が行われる構成となっている。
【００２０】
次に、ショーケース用扉の構成について説明する。一対のショーケース用扉２０Ａ，２０Ｂは、図１に示すように左右対称な形状をなしているものの、それ以外は同じ構成とされる。このため、以下の説明では、図１の右側に配されるショーケース用扉２０Ａの構成について説明する。ショーケース用扉２０Ａは、図３に示すように、矩形板状の板状ガラス２１と、板状ガラス２１の周縁部を全周に亘って挟持する枠体３０と、枠体３０に取り付けられる取手２２と、枠体３０における裏側（貯蔵庫本体１１側）に取り付けられるドアガスケット２３と、を備えている。これにより、板状ガラス２１を通して貯蔵室１１Ｂ内を前方から視認可能とされている。
【００２１】
枠体３０は、ショーケース用扉２０Ａの外周端部を構成するもので、板状ガラス２１の左右の側端部をそれぞれ挟持する一対の縦枠３１Ａ，３１Ａと、板状ガラス２１の上端部及び下端部をそれぞれ挟持する一対の横枠３１Ｂ，３１Ｂと、隣り合う縦枠３１Ａ及び横枠３１Ｂを連結するコーナージョイント７０と、を備えている。縦枠３１Ａ及び横枠３１Ｂは、それぞれ長手状をなしており、隣り合う縦枠３１Ａ及び横枠３１Ｂは、コーナージョイント７０によって、直角をなすように連結されている。これにより、一対の縦枠３１Ａ，３１Ａ及び一対の横枠３１Ｂ，３１Ｂが４つのコーナージョイント７０によって矩形枠状をなす形で連結されることで枠体３０が構成されている。ドアガスケット２３は、枠体３０の形状に倣う矩形枠状をなしており、ショーケース用扉２０Ａを閉じた状態では、貯蔵庫本体１１における開口部１１Ａの開口端部に密着し、枠体３０と貯蔵庫本体１１の間の隙間を塞ぐ構成となっている。
【００２２】
本実施形態の縦枠３１Ａ及び横枠３１Ｂは、材質の異なる２つの枠材（樹脂枠材及び金属枠材）を組み合わせることで構成されている。この構成について、縦枠３１Ａを例示して説明する。なお、縦枠３１Ａ及び横枠３１Ｂは、長さが異なる点以外は同じ構成である。図４は、ショーケース用扉２０Ａを構成する一対の縦枠３１Ａ，３１Ａのうち、右側に配される縦枠３１Ａを示す断面図である。なお、図４における下側が前側（庫外側）であり、上側が後側（庫内側）である。また、図４における右側が枠体３０の外周側であり、下側が内周側（板状ガラス２１側）である。
【００２３】
図４に示すように、縦枠３１Ａは、枠体３０の内周部分（板状ガラス２１に対して相対的に近い側）を構成する樹脂枠材４０と、枠体３０の外周部分（板状ガラス２１に対して相対的に遠い側）を構成すると共に樹脂枠材４０に対して取り付けられる金属枠材５０と、を備えている。また、金属枠材５０は、縦枠３１Ａにおける前側（庫外側）の面を主に構成するものとされ、樹脂枠材４０は、縦枠３１Ａにおける後側（庫内側）の面を主に構成するものとされる。
【００２４】
樹脂枠材４０及び金属枠材５０の各々は、図４の紙面貫通方向に長い長手状をなし、ほぼ全長に亘って図４に示す断面形状をなしている。樹脂枠材４０は、例えばポリプロピレン等の合成樹脂製とされるが、これ以外の合成樹脂によって構成されていてもよい。また、金属枠材５０は、例えばアルミ等の金属製とされるが、これ以外の金属材料によって構成されていてもよい。
【００２５】
樹脂枠材４０は、板状ガラス２１の端面２１Ａと対向配置される対向壁部４１と、対向壁部４１に設けられ、板状ガラス２１の周端部を挟持する一対の挟持壁部４２，４３と、挟持壁部４３と共に第１中空部４５Ａを構成する第１中空部構成壁部４５と、を備えている。なお、ここで言う中空部とは、図４のような断面視において閉じた壁部（環状の壁部）の内部に形成された空間のことである。
【００２６】
挟持壁部４２は、対向壁部４１における前側の端部から板状ガラス２１側に向かって延びる延設部４２Ｄと、延設部４２Ｄの先端から後方に突出する突起部４２Ａを有している。挟持壁部４３は、対向壁部４１における後側の端部から板状ガラス２１側に向かって延びる延設部４３Ｄと、延設部４３Ｄの先端から前方に突出する突起部４３Ａを有している。対向壁部４１及び一対の挟持壁部４２，４３は、板状ガラス２１の周端部が嵌合される嵌合凹部を構成するものとされる。
【００２７】
挟持壁部４２の突起部４２Ａは、板状ガラス２１に対して前側から当接されている。また、挟持壁部４３の突起部４３Ａは、板状ガラス２１に対して後側から当接されている。なお、板状ガラス２１を取り付ける前の自然状態では、一対の突起部４２Ａ，４３Ａの対向間隔が板状ガラス２１の板厚よりもわずかに小さくなるように設定されている。板状ガラス２１の周端部を一対の挟持壁部４２，４３間に差し込む際には、板状ガラス２１に押圧されることで、主に挟持壁部４２（延設部４２Ｄ）が弾性的に撓み変形し、一対の突起部４２Ａ，４３Ａの対向間隔が大きくなることで、板状ガラス２１の周端部を差し込むことができる。そして、一対の挟持壁部４２，４３間に差し込まれた板状ガラス２１の周端部は、一対の挟持壁部４２，４３の弾性復帰力に起因して一対の突起部４２Ａ，４３Ａによって挟持される構成となっている。言い換えると、一対の突起部４２Ａ，４３Ａは、板状ガラス２１に対して隙間なく当接する構成となっている。
【００２８】
第１中空部構成壁部４５は、挟持壁部４３側に開口された断面視コの字状をなし、その開口が挟持壁部４２によって塞がれる構成となっている。これにより、第１中空部構成壁部４５及び挟持壁部４３に略方形状をなす第１中空部４５Ａが構成されている。
【００２９】
金属枠材５０は、第２中空部５１Ａを構成する断面視方形環状の第２中空部構成壁部５１と、挟持壁部４２における板状ガラス２１と反対側の面４２Ｂに当接する当接壁部５２と、第２中空部構成壁部５１の角部のうち、外周側且つ庫内側に配される角部から庫内側（図４の上側）に延びる延設壁部５３と、を備えている。また、延設壁部５３の内側の面には、コードヒータ２５を係止する係止片部５３Ａが形成されている。コードヒータ２５は、枠体３０の内部において、その全周に亘って配されている。コードヒータ２５を比較的熱伝導性が高い金属枠材５０に係止させることで、枠体３０の庫外側の面に結露が生じる事態を効果的に抑制することができる。
【００３０】
次に、樹脂枠材４０と金属枠材５０の係止構造について説明する。本実施形態では、樹脂枠材４０が備える一対の被係止部４６，４７に対して金属枠材５０が備える一対の係止部５６，５７が係止する構成となっている。被係止部４６は、対向壁部４１と挟持壁部４２によって構成される角部から外周側に突出する形で設けられ、断面視Ｌ字状をなしている。被係止部４７は、挟持壁部４３と第１中空部構成壁部４５によって構成される角部から外周側に突出する形で設けられ、断面視Ｌ字状をなしている。
【００３１】
被係止部４６に係止する係止部５６は、第２中空部構成壁部５１における内周側の面から内周側に突出する形で設けられ、断面視Ｌ字状をなしている。被係止部４７に係止する係止部５７は、第２中空部構成壁部５１における内周側（図４の左側）の角部から後方に延びる延設壁部５８の先端から内周側に突出する形で設けられ、断面視Ｌ字状をなしている。このように本実施形態では、樹脂枠材４０と金属枠材５０の係止部分が、板状ガラス２１の角部付近に配される構成となっている。このため、比較的重量の大きい部材である板状ガラス２１を比較的剛性の高い係止部分で囲むことができ、板状ガラス２１をより確実に挟持することができる。なお、係止部５６及び被係止部４６は、係止部５７及び被係止部４７に対して前側（庫外側）に配されている。
【００３２】
また、本実施形態では、対向壁部４１と第２中空部構成壁部５１とが左右方向（Ｘ軸方向）に隙間を空けて対向配置されている。これにより、対向壁部４１、係止部５６，５７、第２中空部構成壁部５１によって第３中空部５９Ａが構成されている。また、対向壁部４１には、係止部５７を前側から覆う突出部４１Ａが形成されている。なお、被係止部４７は合成樹脂製であるから、これを弾性変形させることで、突出部４１Ａと被係止部４７の間に、係止部５７を差し入れることができる。
【００３３】
また、枠体３０においては、樹脂枠材４０の第１中空部構成壁部４５と、金属枠材５０の延設壁部５３とが左右方向に距離を空けて対向配置されている。また、第１中空部構成壁部４５における角部には、ドアガスケット２３を取り付けるためのガスケット用被係止部４５Ｂが形成され、延設壁部５３における後端部には、ガスケット用被係止部５３Ｂが形成されている。
【００３４】
ドアガスケット２３は、軟質樹脂（ウレタンフォーム等）を押出成形することで構成されている。ドアガスケット２３は、貯蔵庫本体１１と枠体３０の間に介在されるガスケット本体部２３Ａと、ガスケット本体部２３Ａから前方に突出する挿入部２３Ｂと、を備えている。挿入部２３Ｂは、断面視矢印形状をなし、後方からガスケット用被係止部４５Ｂ，５３Ｂの間に挿入されている。挿入部２３Ｂにおける左右方向の一端部がガスケット用被係止部４５Ｂに対して前方から係止すると共に、他端部がガスケット用被係止部５３Ｂに対して前方から係止する構成となっている。これにより、ドアガスケット２３が縦枠３１Ａに対して抜け止めされている。
【００３５】
また、本実施形態では、ドアガスケット２３、延設壁部５３、第１中空部構成壁部４５の外周側壁部４５Ｄ、第２中空部構成壁部５１の後壁部５１Ｂによって、第４中空部５９Ｂが構成されている。つまり、縦枠３１Ａは、略方形状をなす４つの中空部４５Ａ，５１Ａ，５９Ａ，５９Ｂを有している。
【００３６】
次に、貯蔵庫本体１１に対してショーケース用扉２０Ａを回動可能に取り付けるヒンジ機構６０について説明する。ヒンジ機構６０は、図１及び図６に示すように、例えば、ショーケース用扉２０Ａにおける右上の角部（右上に配されるコーナージョイント７０）と、貯蔵庫本体１１と、を回動可能に連結するものとされる。なお、ショーケース用扉２０Ａにおける右下の角部も貯蔵庫本体１１に対して回動可能に取り付けられている。なお、ショーケース用扉２０Ａにおける右下の角部については、ヒンジ機構６０を介して貯蔵庫本体１１に対して取り付けられていてもよいし、ヒンジ機構６０とは異なる取付機構によって貯蔵庫本体１１に対して取り付けられていてもよい。
【００３７】
コーナージョイント７０は、図３に示すように、全体として略Ｌ字状をなしている。具体的には、コーナージョイント７０は、板状をなすと共にショーケース用扉２０Ａの外観を構成するジョイント本体部７１（図５参照）と、ジョイント本体部７１から縦枠３１Ａに向かって突出する一端部７２と、ジョイント本体部７１から横枠３１Ｂに向かって突出する他端部７３と、を備えている。ジョイント本体部７１は、図５及び図６に示すように、その裏面が縦枠３１Ａ（主に金属枠材５０）の端面と当接する構成となっている。コーナージョイント７０の一端部７２は、図４に示すように、縦枠３１Ａの第２中空部５１Ａに対して挿入されており、この一端部７２はビス５１Ｄによって、第２中空部構成壁部５１に対して固定されている。また、コーナージョイント７０の他端部７３は、横枠３１Ｂの第２中空部５１Ａ（図３参照）に対して挿入され、ビス５１Ｄによって横枠３１Ｂに固定されている。
【００３８】
ヒンジ機構６０は、図６に示すように、貯蔵庫本体１１における天井壁部１１Ｄにおける前面（ショーケース用扉２０Ａ側の面）に取り付けられた取付片６１と、取付片６１に設けられた軸部６２と、枠体３０における右上の角部を構成するコーナージョイント７０に取り付けられるヒンジカラー２４と、を備えている。取付片６１は、Ｌ字状をなしており、その一端部６１Ａが貯蔵庫本体１１に固定され、他端部が貯蔵庫本体１１から前側に突出する形で設けられている。取付片６１の他端部は、ジョイント本体部７１の上面７１Ａ（扉の外周端面）と対向配置される対向部６１Ｂとされる。
【００３９】
これに対して、コーナージョイント７０のジョイント本体部７１において対向部６１Ｂと対向する箇所には、円形状をなす取付孔７１Ｂが形成されている。つまり、対向部６１Ｂは、取付孔７１Ｂと上下方向に距離を空けて対向配置されている。軸部６２は、対向部６１Ｂからヒンジカラー２４（ひいては取付孔７１Ｂ）に向かって突出する形状をなしている。また、軸部６２には、上下方向に貫通する貫通孔６２Ａが形成されており、その貫通孔６２Ａを通じて、コードヒータ２５等と電気的に接続されるケーブル（図示せず）が枠体３０内部から外部（貯蔵庫本体側）に引き出される構成となっている。
【００４０】
ヒンジカラー２４は、図５及び図６に示すように、円筒状をなすヒンジカラー本体部２４Ａと、ヒンジカラー本体部２４Ａの外周面に形成された一対の突起部２４Ｂ，２４Ｂと、ヒンジカラー本体部２４Ａにおける取付片６１側の端部に設けられるフランジ部２４Ｄと、を備えている。ヒンジカラー本体部２４Ａは、取付孔７１Ｂに対して上方から挿入されている。また、ヒンジカラー本体部２４Ａは、軸部６２が挿通される軸部挿通孔２４Ｅを有している。これにより、ショーケース用扉２０Ａの回動軸Ｒ１を構成する軸部６２の外周面と、取付孔７１Ｂの内周面の間にヒンジカラー２４が介在されている。
【００４１】
また、ヒンジカラー２４における一対の突起部２４Ｂ，２４Ｂは、例えば、その突出方向が逆方向となるように設定されており、それぞれ取付孔７１Ｂの内周面に当接されている。なお、取付孔７１Ｂに挿入する前の一対の突起部２４Ｂ，２４Ｂを含むヒンジカラー２４の外径は、取付孔７１Ｂの孔径よりもわずかに大きくなるように設定されており、ヒンジカラー２４は、取付孔７１Ｂに対して圧入されている。これにより、ヒンジカラー２４は、コーナージョイント７０（ひいてはショーケース用扉２０Ａ）に対する回動軸Ｒ１を中心とした回動が規制されている。フランジ部２４Ｄは、ヒンジカラー本体部２４Ａよりも外径が大きい円環状をなしており、ジョイント本体部７１の上面７１Ａ（ひいては取付孔７１Ｂの孔縁部）に対して当接する構成となっている。言い換えると、フランジ部２４Ｄは、ジョイント本体部７１の上面７１Ａと取付片６１（より詳しくは対向部６１Ｂ）の間に介在されている。
【００４２】
また、コーナージョイント７０（扉において取付孔７１Ｂを構成する部分）、軸部６２、及び取付片６１は金属製とされる。具体的には、コーナージョイント７０は例えばアルミ製とされ、軸部６２及び取付片６１は、例えばステンレス製とされる。また、ヒンジカラー２４は合成樹脂製とされる。より具体的には、ヒンジカラー２４は、耐摩耗性と摺動性に優れた材質とすることが好ましく、例えば、ポリアセタールやナイロンなどを例示することができる。なお、コーナージョイント７０、軸部６２、ヒンジカラー２４の材質は上述したものに限定されず適宜変更可能である。
【００４３】
また、図６に示すように、ジョイント本体部７１には、コードヒータ２５が嵌合される溝部７１Ｄと、ドアガスケット２３の外周端部が嵌合される溝部７１Ｅとがそれぞれ形成されている。コードヒータ２５は、例えばヒンジカラー２４に近接する形で配されている。
【００４４】
次に、本実施形態の効果について説明する。本実施形態によれば、金属製の軸部６２と枠体３０の間に合成樹脂製のヒンジカラー２４が介在される構成となっている。このようにすれば、金属製である軸部６２及びコーナージョイント７０が直接的に接触する構成と比べて、ショーケース用扉２０Ａを開閉する際の部材の摩耗や異音の発生を抑制することができる。また、ヒンジカラー２４は、コーナージョイント７０に対する回動が規制されている。このため、ショーケース用扉２０Ａの開閉時には、軸部６２に対してヒンジカラー２４が回動し、ヒンジカラー２４がコーナージョイント７０に対して回動することがない。このため、枠体３０の内部に収容された部材（例えばコードヒータ２５等）がヒンジカラー２４に近接して配されている場合であっても、ヒンジカラー２４がその部材に対して擦れることがなく、その部材をより確実に保護することができる。
【００４５】
なお、軸部６２とコーナージョイント７０とが異なる金属である場合において、両部材が直接的に接触する構成とすれば、相対的に硬度が低い側の部材がより摩耗し易い。例えば、コーナージョイント７０がアルミ製で、軸部６２がステンレス製である場合には、相対的に軟らかい部材であるコーナージョイント７０が摩耗し易い。本実施形態では、軸部６２とコーナージョイント７０の間にヒンジカラー２４が介在されているから、このような事態を抑制することができる。
【００４６】
また、本実施形態によれば、ヒンジカラー２４の突起部２４Ｂ，２４Ｂが取付孔７１Ｂの内周面に当接し、ヒンジカラー２４が枠体３０に対して回動する事態を抑制することができる。このような構成とすれば、ヒンジカラー本体部２４Ａを取付孔７１Ｂに挿入することで、ヒンジカラー２４の回動を規制することができる。このため、ヒンジカラー２４の回動を規制するための取付部材を設ける必要がなく、好適である。
【００４７】
また、本実施形態によれば、取付片６１の対向部６１Ｂとジョイント本体部７１の上面７１Ａとの間に、合成樹脂製であるフランジ部２４Ｄが介在されることとなり、取付片６１とジョイント本体部７１とが直接的に接触する事態を抑制することができる。この結果、ジョイント本体部７１や取付片６１が傷付く事態を抑制することができる。
【００４８】
また、本実施形態によれば、枠体３０の外周部分を金属枠材５０で構成することで剛性を確保することができ、枠体３０の内周部分を樹脂枠材４０で構成することで断熱性をより高くすることができる。さらに、金属枠材５０と樹脂枠材４０のそれぞれに中空部（第１中空部４５Ａ及び第２中空部５１Ａ）が設けられている。中空部を設けることで断熱性をより高くすることができる。また、樹脂枠材４０と金属枠材５０の各々が中空部を構成する中空部構成壁部（第１中空部構成壁部４５及び第２中空部構成壁部５１）を備えることで剛性をより高くすることができる。
【００４９】
また、板状ガラス２１を挟持する一対の挟持壁部４２，４３は、合成樹脂製であるから容易に弾性変形させることでき、板状ガラス２１の組み付けを容易に行うことができると共に、一対の挟持壁部４２，４３の弾性力によって板状ガラスをより確実に挟持することができる。ここで、挟持壁部４３は、第１中空部構成壁部４５と共に第１中空部４５Ａを構成するものとされ、第１中空部構成壁部４５には、金属枠材５０の係止部５７が係止する被係止部４７が設けられている。また、挟持壁部４２には、金属枠材５０の当接壁部５２が当接する構成となっている。このため、金属枠材５０を備えていない構成と比べて、一対の挟持壁部４２，４３が変形し難く、板状ガラス２１をより確実に挟持することができる。
【００５０】
また、第３中空部５９Ａを備えることで、断熱性をより一層高くすることができる。また、第３中空部を構成する部材には、係止部５７及び係止部５６が含まれている。このような係止部は、対応する被係止部に係止することで剛性がより高いものとなる。この結果、第３中空部５９Ａを構成する壁部の剛性をより高くすることができる。
【００５１】
＜他の実施形態＞
本発明は上記記述及び図面によって説明した実施形態に限定されるものではなく、例えば次のような実施形態も本発明の技術的範囲に含まれる。
（１）上記実施形態では、貯蔵庫として、冷蔵用のショーケースを例示したが、これに限定されない。貯蔵庫としては、例えば、冷凍用や保温用のショーケース等を例示することもでき、ショーケース以外の貯蔵庫であってもよい。また、上記実施形態では、貯蔵庫の扉として、板状ガラス及びこれを保持する枠体を備えるものを例示したが、これに限定されない。
（２）ショーケース用扉の形状や大きさは上記実施形態で例示したものに限定されず適宜変更可能である。例えば、ショーケース用扉として横長な形状や正方形状をなしていてもよい。また、ショーケースが備えるショーケース用扉の枚数も上記実施形態で例示した枚数に限定されず、適宜変更可能である。
（３）上記実施形態では、コーナージョイントを備える枠体を例示したが、これに限定されない。例えば、枠体を構成する縦枠と横枠とが直接的に接続される構成であってもよく、その場合、ヒンジカラーが取り付けられる取付孔７１Ｂを縦枠又は横枠に形成してもよい。
（４）上記実施形態では、一対の突起部２４Ｂ，２４Ｂが取付孔７１Ｂの内周面に対して当接することで、ヒンジカラー２４が枠体３０に対して回り止めされる構成を例示したが、これに限定されない。例えば、ビス止めなどによってヒンジカラー２４が枠体３０に対して回り止めされていてもよい。また、突起部２４Ｂの個数も適宜変更可能である。
（５）上記実施形態においては、枠体３０の一部が樹脂枠材４０によって構成されているものを例示したが、これに限定されない。枠体３０が金属のみによって構成されていてもよい。また、枠体３０においては、ヒンジカラー２４が取り付けられる部分（上記実施形態ではコーナージョイント７０）が少なくとも金属製であればよく、それ以外の部分の材質は金属に限定されず適宜変更可能である。
【符号の説明】
【００５２】
１０…ショーケース（貯蔵庫）、１１…貯蔵庫本体（筐体）、１１Ｂ…貯蔵室、２０Ａ…ショーケース用扉（扉）、２４…ヒンジカラー、２４Ａ…ヒンジカラー本体部、２４Ｂ…突起部、２４Ｄ…フランジ部、２４Ｅ…軸部挿通孔、３０…枠体（扉の外周端部）、６０…ヒンジ機構、６１…取付片、６１Ｂ…対向部（取付孔と対向配置される対向部）、６２…軸部、７０…コーナージョイント（扉において取付孔を構成する部分）、７１Ａ…ジョイント本体部の上面（枠体の外周端面）、７１Ｂ…取付孔、Ｒ１…扉の回動軸
【図１】
0006656933.tif 000002
【図２】
0006656933.tif 000003
【図３】
0006656933.tif 000004
【図４】
0006656933.tif 000005
【図５】
0006656933.tif 000006
【図６】
0006656933.tif 000007